(57)【要約】【課題】床面における狭い部分を効果的に掃除できる電気掃除機用吸込具を提供すること。【解決手段】電気掃除機用吸込具１のハウジング１０では、前面１０Ｂの副吸込口１３をシャッター１４が開閉する。床面Ｘにおける狭い部分を掃除したい場合には、副吸込口１３が床面Ｘに対向するようにハウジング１０を倒立させ、シャッター１４を開く。シャッター１４は、開いた状態においてハウジング１０内と連通する取込穴２０を有している。そのため、狭い部分の塵埃を副吸込口１３からハウジング１０内に吸い込み、狭い部分においてシャッター１４に対向している部分の塵埃を取込穴２０からハウジング１０内に吸い込める。ハウジング１０内に設けられたフラップ部材２１が、シャッター１４が開くのに連動して、取込穴２０から流入する空気および塵埃をベンドパイプ１１へと導く。【選択図】図４
2011172739.tif 000002
【特許請求の範囲】
【請求項１】
底面に主吸込口が形成され、前面に副吸込口が形成されたハウジングと、
一端は前記ハウジングに連結され、他端は前記ハウジングから後方へ突出していて、電気掃除機本体と接続でき、前記主吸込口および前記副吸込口から前記ハウジング内に流入する空気および塵埃を前記電気掃除機本体へ誘導するためにベンドパイプと、
前記ハウジング内に回転可能に設けられ、前記主吸込口および前記副吸込口に臨む回転ブラシと、
前記副吸込口を開閉可能に覆うシャッターであって、開いた状態において前記シャッターを通じて前記ハウジング内と連通するように形成された取込穴を有するシャッターと、
前記ハウジング内に設けられ、前記シャッターの開閉に応じて移動可能であり、前記シャッターが開くのに連動して、前記取込穴から流入する空気および塵埃を前記ベンドパイプの一端へと導くフラップ部材と、
を含むことを特徴とする、電気掃除機用吸込具。
【請求項２】
前記フラップ部材は、前記取込穴から前記ベンドパイプの一端へと流入風が向かう方向において、前記取込穴に対して下流側から隣接した位置にあることを特徴とする、請求項１記載の電気掃除機用吸込具。
【発明の詳細な説明】
【技術分野】
【０００１】
この発明は、電気掃除機用吸込具に関する。
【背景技術】
【０００２】
従来、電気掃除機用吸込具は、幅広のハウジングを有しており、ハウジングの底面には、吸込口が形成されている（特許文献１参照）。ハウジング底面の吸込口を床面に対向させた状態で電気掃除機用吸込具を床面上で移動させることによって、床面の塵埃が吸込口からハウジング内部に取り込まれ、これにより、床面の掃除が行われる。
【先行技術文献】
【特許文献】
【０００３】
【特許文献１】特開２００４−１６６０６号公報
【発明の概要】
【発明が解決しようとする課題】
【０００４】
特許文献１の電気掃除機用吸込具では、何もない広い床面であれば、床面上で電気掃除機用吸込具を移動させるだけで、なんら問題なく掃除できる。
しかし、床面において家具と家具との間といった狭い部分には、電気掃除機用吸込具が入りにくいので、この狭い部分を電気掃除機用吸込具で掃除するのは困難である。
ただし、このような狭い部分には、塵埃が大量に溜まっている場合があるので、狭い部分ほど念入りに掃除する必要がある。
【０００５】
この発明は、かかる背景のもとでなされたもので、床面における狭い部分を効果的に掃除できる電気掃除機用吸込具を提供することを目的とする。
【課題を解決するための手段】
【０００６】
請求項１記載の発明は、底面に主吸込口が形成され、前面に副吸込口が形成されたハウジングと、一端は前記ハウジングに連結され、他端は前記ハウジングから後方へ突出していて、電気掃除機本体と接続でき、前記主吸込口および前記副吸込口から前記ハウジング内に流入する空気および塵埃を前記電気掃除機本体へ誘導するためにベンドパイプと、前記ハウジング内に回転可能に設けられ、前記主吸込口および前記副吸込口に臨む回転ブラシと、前記副吸込口を開閉可能に覆うシャッターであって、開いた状態において前記シャッターを通じて前記ハウジング内と連通するように形成された取込穴を有するシャッターと、前記ハウジング内に設けられ、前記シャッターの開閉に応じて移動可能であり、前記シャッターが開くのに連動して、前記取込穴から流入する空気および塵埃を前記ベンドパイプの一端へと導くフラップ部材と、を含むことを特徴とする、電気掃除機用吸込具である。
【０００７】
請求項２記載の発明は、前記フラップ部材は、前記取込穴から前記ベンドパイプの一端へと流入風が向かう方向において、前記取込穴に対して下流側から隣接した位置にあることを特徴とする、請求項１記載の電気掃除機用吸込具である。
【発明の効果】
【０００８】
請求項１記載の発明によれば、電気掃除機用吸込具のハウジングでは、底面に主吸込口が形成され、前面に副吸込口が形成されている。シャッターが、副吸込口を開閉可能に覆う。そして、ハウジングには、ベンドパイプの一端が連結され、ベンドパイプの他端は、ハウジングから後方へ突出していて、電気掃除機本体と接続できる。ハウジング内には、回転ブラシが回転可能に設けられており、回転ブラシは、主吸込口および副吸込口に臨んでいる。
【０００９】
ハウジング底面の主吸込口が床面に対向した状態で、電気掃除機用吸込具を床面上で移動させる際、電気掃除機本体で発生した吸引力が主吸込口に作用する。これにより、床面上の塵埃が、空気とともに、主吸込口からハウジング内に吸い込まれ、ベンドパイプによって電気掃除機本体へ誘導される。ここで、シャッターが副吸込口を覆っていると、吸引力を主吸込口だけに作用させることができる。また、回転ブラシが主吸込口から床面の塵埃を掻き上げるので、塵埃を主吸込口からハウジング内へ効果的に流入させることができる。
【００１０】
一方、床面において家具と家具との間といった狭い部分を掃除したい場合には、まず、主吸込口の代わりに副吸込口が床面に対向するように、ハウジング（電気掃除機用吸込具）の姿勢を変える。すると、一般的に幅広で上下に扁平なハウジングが倒立し、床面に対するハウジングの対向面積が小さくなる。これにより、前述した狭い部分にハウジングを入り込ませることができる。また、ハウジングを倒立させるのに応じて、シャッターを開く。
【００１１】
そして、倒立させたハウジング（電気掃除機用吸込具）を狭い部分に入り込ませると、前述した吸引力が副吸込口に作用するので、狭い部分の塵埃が、空気とともに、副吸込口からハウジング内に吸い込まれ、ベンドパイプによって電気掃除機本体へ誘導される。これにより、床面における狭い部分を掃除できる。また、回転ブラシが副吸込口から床面（狭い部分）の塵埃を掻き上げるので、塵埃を副吸込口からハウジング内へ効果的に流入させることができる。
【００１２】
ここで、シャッターは、開いた状態においてシャッターを通じてハウジング内と連通するように形成された取込穴を有している。そのため、前述した狭い部分の塵埃を副吸込口からハウジング内に吸い込むのに加えて、狭い部分においてシャッターに対向している部分（副吸込口では塵埃を吸い込みにくい部分）の塵埃を取込穴からハウジング内に吸い込むこともできる。これにより、床面における狭い部分を効果的に掃除できる。
【００１３】
さらに、ハウジング内には、シャッターの開閉に応じて移動可能なフラップ部材が設けられており、フラップ部材は、シャッターが開くのに連動して、取込穴から流入する空気および塵埃をベンドパイプの一端へと導く。つまり、ハウジング内において取込穴からベンドパイプの一端へ向かう空気および塵埃の円滑な流れが、フラップ部材によって確保される。そのため、取込穴からハウジング内に流入した空気および塵埃は、フラップ部材によってベンドパイプの一端へ次々に送り込まれていくことから、前述した狭い部分において副吸込口では塵埃を吸い込みにくい部分の塵埃を取込穴からハウジング内に効果的に吸い込むことができる。これにより、床面における狭い部分をより効果的に掃除できる。
【００１４】
請求項２記載の発明によれば、フラップ部材は、取込穴からベンドパイプの一端へと流入風が向かう方向において、取込穴に対して下流側から隣接した位置にあるので、取込穴から流入する空気および塵埃をベンドパイプの一端へと効果的に導くことができる。
【図面の簡単な説明】
【００１５】
【図１】（ａ）は、この発明の一実施形態に係る電気掃除機用吸込具１および伸縮パイプ２等の右側面図であって、電気掃除機用吸込具１が通常姿勢にある状態を示し、（ｂ）は、（ａ）において電気掃除機用吸込具１を倒立姿勢へと変化させた状態を示している。
【図２】通常姿勢にある電気掃除機用吸込具１の右側断面図である。
【図３】図２において、シャッター１４を開いた状態を示している。
【図４】倒立姿勢にある電気掃除機用吸込具１の右側断面図である。
【図５】図４の状態における電気掃除機用吸込具１を副吸込口１３側から見た図である。
【図６】図４の状態における電気掃除機用吸込具１を主吸込口１２側から見た図である。
【図７】図６において回転ブラシ１７を省略した状態を示している。
【発明を実施するための形態】
【００１６】
以下には、図面を参照して、この発明の実施形態について具体的に説明する。
図１は、（ａ）は、この発明の一実施形態に係る電気掃除機用吸込具１および伸縮パイプ２等の右側面図であって、電気掃除機用吸込具１が通常姿勢にある状態を示し、（ｂ）は、（ａ）において電気掃除機用吸込具１を倒立姿勢へと変化させた状態を示している。
以下では、図１（ａ）における電気掃除機用吸込具１（以下では、単に「吸込具１」という。）の姿勢（通常姿勢）を基準として、吸込具１の前後左右方向を規定する。図１（ａ）において、左側が前側であり、右側が後側であり、奥側が左側であり、手前側が右側である。また、左右方向は、幅方向と同義である。
【００１７】
吸込具１には、伸縮することで全長を変えることができる伸縮パイプ２の一端が接続されていて、伸縮パイプ２の他端には、操作部３を介してホース４が接続されている。操作部３は、伸縮パイプ２とホース４とを連結させる筒状の連結筒５と、連結筒５の外周面に取り付けられたメイングリップ６およびサブグリップ７とを含んでいる。ホース４には、電動送風機を内蔵した電気掃除機本体（図示せず）が接続されている。
【００１８】
吸込具１は、図１（ａ）に示す通常姿勢と、図１（ｂ）に示す倒立姿勢とに姿勢を変えることができる。吸込具１が通常姿勢にある状態において、たとえば、図１（ａ）ではサブグリップ７より上側にあるメイングリップ６が逆にサブグリップ７より下側に来るようにメイングリップ６をねじり、メイングリップ６からサブグリップ７に持ち変える。すると、伸縮パイプ２が少し上昇し、その際、吸込具１の後端部側を持ち上げるので、吸込具１の姿勢が倒立姿勢に変わる。
【００１９】
次に、吸込具１について説明する。
図２は、通常姿勢にある吸込具１の右側断面図である。図３は、図２において、シャッター１４を開いた状態を示している。図４は、倒立姿勢にある吸込具１の右側断面図である。
図２に示された通常姿勢の吸込具１を参照して、吸込具１は、ハウジング１０とベンドパイプ１１とを主に含んでいる。
【００２０】
ハウジング１０は、幅方向に長手（幅広）かつ上下方向に扁平で中空のボックス形状である。ハウジング１０の底面１０Ａの前側には、幅方向に長手の主吸込口１２が形成されており、ハウジング１０の前面１０Ｂには、幅方向に長手の副吸込口１３が形成されている。副吸込口１３は、主吸込口１２に対して前側から連続している。主吸込口１２および副吸込口１３は、ハウジング１０内に連通している。
【００２１】
ハウジング１０の前面１０Ｂには、シャッター１４が設けられている。シャッター１４は、幅方向に長手の板状である。シャッター１４は、幅方向から見て、前上側へ円弧状に膨出するように、湾曲している。シャッター１４の前端の幅方向両端部には、前上側へ突出する凸部１５が一体的に設けられている。シャッター１４は、前上側から、副吸込口１３を開閉可能に覆っている。図２では、シャッター１４が副吸込口１３を閉じており、図３では、シャッター１４が開いて副吸込口１３を前側へ露出させている。開いたシャッター１４では、後側部分（隠れ部分１４Ａという。）が、ハウジング１０の天壁１０Ｃの前端部の下側に隠れるようにハウジング１０内に収容される。
【００２２】
ここで、シャッター１４は、閉じるように付勢部材（ばねなど）で付勢されている。そのため、図３のように、壁Ｙに対して凸部１５を押し付けることで、付勢部材の付勢力に抗してシャッター１４を開くことができる。逆に、凸部１５を壁Ｙから離すと、シャッター１４は速やかに閉じる（図２参照）。
図２を参照して、ハウジング１０の後面の幅方向中央には、接続筒１６が取り付けられている（図２において右下へ延びる斜線で構成されたハッチングが施された部分を参照）。接続筒１６は、前後方向に延びる中心軸を有する略円筒状であり、ハウジング１０の後面に対して後から挿通され、ハウジング１０によって、上述した中心軸を中心として回動自在に支持されており、ハウジング１０の一部となっている。接続筒１６の内部は、ハウジング１０内に連通している。接続筒１６の後端面と外周部分の周上１箇所とは、連続して切欠かれており、切欠き部１６Ａとされる。
【００２３】
ベンドパイプ１１は、図２では前後方向に長手であり、その前端１１Ａ（一端）は、略球体状に形成されている。ベンドパイプ１１の前端１１Ａは、ハウジング１０の接続筒１６の切欠き部１６Ａに対して後から挿通されており、これによって、ベンドパイプ１１は、接続筒１６（ハウジング１０）によって支持されている。
詳しくは、ベンドパイプ１１では、前端１１Ａがハウジング１０に連結され、後端１１Ｂ（他端）は、ハウジング１０から後方へ突出している。この状態で、ベンドパイプ１１は、前端１１Ａを支点として、接続筒１６に対して回動自在である。図２では、ベンドパイプ１１は、上下に回動自在である。そして、接続筒１６が、前後方向に延びる中心軸を中心として回動自在であることから、ベンドパイプ１１は、接続筒１６に対して回動しつつ、接続筒１６とともに、前後方向に延びる中心軸を中心として回動することができる。
【００２４】
ベンドパイプ１１の内部は、接続筒１６の内部を介して、ハウジング１０内に連通している。ベンドパイプ１１の後端１１Ｂは、前述した伸縮パイプ２（図１参照）に接続されるので、伸縮パイプ２やホース４（図１参照）等を介して、電気掃除機本体（図示せず）に接続される。
また、ハウジング１０内には、回転ブラシ１７が設けられている。回転ブラシ１７は、幅方向に長手でハウジング１０の左右の側壁によって回転可能に支持される略円柱状の芯体１８と、芯体１８の外周面に植立されたブラシ毛１９とを含んでいる。回転ブラシ１７において、ブラシ毛１９は、主吸込口１２および副吸込口１３の両方に臨んでいる。回転ブラシ１７は、図示しないモータ等から駆動力を受けることによって、右側面視で反時計回りに回転する。
【００２５】
清掃時に電気掃除機本体（図示せず）が運転されると、電気掃除機本体（図示せず）の電動送風機（図示せず）が吸引力を発生し、この吸引力が、ベンドパイプ１１およびハウジング１０の内部に作用する。これにより、ハウジング１０の底面１０Ａの主吸込口１２にも吸引力が作用するので、ハウジング１０の外部の空気が主吸込口１２からハウジング１０内に吸い込まれる。
【００２６】
そのため、主吸込口１２が床面Ｘに対向した状態で、吸込具１を床面Ｘ上で移動させれば、床面Ｘ上の塵埃が、主吸込口１２からハウジング１０内に吸引される空気に乗って、主吸込口１２からハウジング１０内に吸い込まれる（太い実線矢印参照）。その後、ハウジング１０内に流入したこれらの塵埃および空気は、ベンドパイプ１１によって、前述した伸縮パイプ２およびホース４（図１参照）を介して、電気掃除機本体（図示せず）へ誘導され、電気掃除機本体（図示せず）内に溜められる。ここで、シャッター１４が閉じて副吸込口１３を覆っているので、吸引力を主吸込口１２だけに作用させることができる。また、回転する回転ブラシ１７が主吸込口１２から床面Ｘの塵埃を掻き上げるので、塵埃を主吸込口１２からハウジング１０内へ効果的に流入させることができる。
【００２７】
そして、図３に示すようにシャッター１４が副吸込口１３を開いていれば、前述した吸引力が副吸込口１３に作用するので、副吸込口１３からハウジング１０内に塵埃を吸い込むことができる。図３では、シャッター１４が開くことで、副吸込口１３が壁Ｙに対向しているので、壁Ｙに付着した塵埃を副吸込口１３からハウジング１０内に吸い込むことができる（太い破線矢印参照）。副吸込口１３からハウジング１０内に吸い込まれた（流入した）塵埃および空気は、主吸込口１２の場合と同様に、ベンドパイプ１１によって電気掃除機本体（図示せず）へ誘導される。ここで、回転する回転ブラシ１７において副吸込口１３に臨むブラシ毛１９が壁Ｙの塵埃を副吸込口１３へ掻き込むので、効率的に壁Ｙを掃除することができる。
【００２８】
また、図４に示すように、ハウジング１０の底面１０Ａの主吸込口１２でなく、前面１０Ｂの副吸込口１３が床面Ｘに上から対向するように、ハウジング１０（吸込具１全体）を倒立させる。このときの吸込具１の姿勢は、前述した倒立姿勢である（図１（ｂ）も参照）。吸込具１を倒立姿勢にする際、前述した凸部１５が床面Ｘに接触して下から押されることによって、シャッター１４が開く。
【００２９】
吸込具１が倒立姿勢にあると、通常姿勢（図２および図３参照）のときに幅広で上下に扁平だったハウジング１０において、副吸込口１３側が底面となってベンドパイプ１１側が天面となることで、ハウジング１０が、前後方向（水平方向）に薄くなる（床面Ｘに対するハウジング１０の対向面積が小さくなる）。そのため、家具と家具との間といった狭い部分にハウジング１０を入り込ませることができる。
【００３０】
そして、倒立させたハウジング１０（吸込具１）を狭い部分に入り込ませると、前述した吸引力が副吸込口１３に作用するので、狭い部分の塵埃が、空気とともに、副吸込口１３からハウジング１０内に吸い込まれ（太い破線矢印参照）、ベンドパイプ１１によって電気掃除機本体（図示せず）へ誘導される。これにより、床面Ｘにおける狭い部分を掃除できる。また、回転する回転ブラシ１７が副吸込口１３から床面Ｘ（狭い部分）の塵埃を掻き上げるので、塵埃を副吸込口１３からハウジング１０内へ効果的に流入させることができる。
【００３１】
図５は、図４の状態における吸込具１を副吸込口１３側から見た図である。
ここで、吸込具１が倒立姿勢にある状態において、開いた状態にあるシャッター１４には、床面Ｘに対向する部分（対向部分１４Ｂという。）がある。図５を参照して、対向部分１４Ｂの幅方向両側には、対向部分１４Ｂを貫通する取込穴２０が形成されている。左右の取込穴２０のそれぞれは、幅方向に細長い。
【００３２】
図６は、図４の状態における吸込具１を主吸込口１２側から見た図である。図７は、図６において回転ブラシ１７を省略した状態を示している。
図６の状態で回転ブラシ１７を取り外すと、図７に示すように、ハウジング１０の内部および天壁１０Ｃの内面（ハウジング１０内に臨む面）が主吸込口１２から露出される。この天壁１０Ｃの内面（ハウジング１０内）には、フラップ部材２１が設けられている。フラップ部材２１の幅方向位置は、左右の取込穴２０の間に相当する位置である。
【００３３】
フラップ部材２１は、幅方向に長手の薄板状である。フラップ部材２１において天壁１０Ｃに対向する側面の幅方向略中央には、天壁１０Ｃ側へ突出する突起２２が一体的に設けられている（図２参照）。突起２２は、幅方向から見て天壁１０Ｃ側へ向かって細くなる略台形状である（図２参照）。
天壁１０Ｃには、フラップ部材２１における副吸込口１３側の端部を幅方向から挟む１対の軸部２３が設けられており、左右の軸部２３は、フラップ部材２１における副吸込口１３側の端部に挿通されている。これにより、フラップ部材２１は、軸部２３を中心に揺動することができる。詳しくは、フラップ部材２１は、突起２２が天壁１０Ｃに接近する接近位置（図２参照）と、接近位置の場合に比べて突起２２が天壁１０Ｃから離間する離間位置（図３参照）との間で揺動することができる。図７における右側の軸部２３には、トーションばね２４が取り付けられており、このトーションばね２４は、フラップ部材２１を接近位置へ揺動するように付勢している。
【００３４】
そして、前述したように吸込具１を通常姿勢（図２参照）から、図４に示す倒立姿勢にすると、その際に開くシャッター１４において、前述した隠れ部分１４Ａが、ハウジング１０の天壁１０Ｃとフラップ部材２１との間に入り込みながら、接近位置のフラップ部材２１の突起２２を押す。これにより、突起２２が天壁１０Ｃから離間するようにフラップ部材２１が離間位置へ向けて揺動する。そして、図４に示すようにシャッター１４が完全に開いたときには、フラップ部材２１が離間位置に到達する。
【００３５】
ここで、逆にシャッター１４を閉じると、隠れ部分１４Ａが天壁１０Ｃとフラップ部材２１との間から外れて突起２２を押さなくなるので、フラップ部材２１は、トーションばね２４（図７参照）の付勢力によって接近位置へと戻る（図２参照）。つまり、フラップ部材２１は、シャッター１４の開閉に応じて離間位置と接近位置とに移動可能である。
そして、吸込具１が倒立姿勢になってフラップ部材２１が離間位置まで揺動した状態では、フラップ部材２１（突起２２を除く）とシャッター１４の隠れ部分１４Ａとの間には、隙間Ｚが形成される。図４の状態を基準として、隙間Ｚは、接続筒１６（図２参照）に対して下側から連通しつつ、開いたシャッター１４の取込穴２０を介して、床面Ｘ（前述した狭い部分）に上から連通している。隙間Ｚの代わりに取込穴２０を基準とすると、取込穴２０は、シャッター１４が開いた状態において、シャッター１４を通じてハウジング１０内の隙間Ｚと連通する。
【００３６】
そのため、この状態で、前述した吸引力が発生すると、吸引力は、主吸込口１２や副吸込口１３だけでなく、隙間Ｚを介して取込穴２０にも作用する。これにより、主吸込口１２および副吸込口１３から床面Ｘ（前述した狭い部分であり、以下同じ。）の塵埃および空気がハウジング１０内に吸い込まれるとともに（太い実線矢印および太い破線矢印参照）、取込穴２０から床面Ｘの塵埃および空気がハウジング１０内に吸い込まれる（太い１点鎖線矢印参照）。
【００３７】
このように、前述した狭い部分の塵埃を副吸込口１３からハウジング１０内に吸い込むのに加えて、狭い部分においてシャッター１４に対向している部分（シャッター１４の対向部分１４Ｂが邪魔なため副吸込口１３では塵埃を吸い込みにくい部分）の塵埃を取込穴２０からハウジング１０内に吸い込むこともできる。これにより、床面Ｘにおける狭い部分を効果的に掃除できる。
【００３８】
そして、取込穴２０からハウジング１０内に吸い込まれた塵埃および空気は、太い１点鎖線矢印で示すように、前述した隙間Ｚを通ることでフラップ部材２１によって接続筒１６（換言すれば、ベンドパイプ１１の前端１１Ａ）へ導かれ、その後、ベンドパイプ１１に誘導されて掃除機本体（図示せず）へ送られる。このように、フラップ部材２１は、シャッター１４が開くのに連動して離間位置へと移動し、取込穴２０から流入する空気および塵埃をベンドパイプ１１の前端１１Ａへと導いている。
【００３９】
つまり、ハウジング１０内において取込穴２０からベンドパイプ１１の前端１１Ａへ向かう空気および塵埃の円滑な流れ（バイパス流路）が、フラップ部材２１によって確保される。そのため、取込穴２０からハウジング１０内に流入した空気および塵埃は、フラップ部材２１によってベンドパイプ１１の前端１１Ａへ次々に送り込まれていくことから、前述した狭い部分において副吸込口１３では塵埃を吸い込みにくい部分の塵埃を取込穴２０からハウジング１０内に効果的に吸い込むこともできる。これにより、床面Ｘにおける狭い部分をより効果的に掃除できる。
【００４０】
ここで、フラップ部材２１は、取込穴２０からベンドパイプ１１の前端１１Ａへと空気（流入風）および塵埃が向かう方向（太い１点鎖線矢印参照）において、取込穴２０に対して下流側から隣接した位置にある。そのため、フラップ部材２１は、取込穴２０から流入する空気および塵埃をベンドパイプ１１の前端１１Ａへと効果的に導くことができる。
シャッター１４に取込穴２０がない場合には、前述した吸引力が主吸込口１２に必要以上に作用してしまうので、その分、床面Ｘの狭い部分の塵埃を副吸込口１３から円滑に吸い込むのが困難である。そこで、取込穴２０があると、吸引力は、主吸込口１２に必要以上に作用せず、その分、副吸込口１３および取込穴２０に大きく作用するので、床面Ｘの狭い部分の塵埃を副吸込口１３および取込穴２０から円滑に吸い込むことができる。
【００４１】
なお、吸込具１を通常姿勢にして主吸込口１２から床面Ｘの塵埃を吸い込む場合において（図２参照）、取込穴２０からもハウジング１０内に空気が吸い込まれるが、このことが主吸込口１２における吸引力の低下を引き起こすことはない。むしろ、取込穴２０からも空気が吸い込まれることによって、主吸込口１２における吸引力が必要以上に強くなることを抑えることができる。
【００４２】
この発明は、以上に説明した実施形態に限定されるものではなく、請求項記載の範囲内において種々の変更が可能である。
【符号の説明】
【００４３】
１      電気掃除機用吸込具
１０    ハウジング
１０Ａ  底面
１０Ｂ  前面
１１    ベンドパイプ
１１Ａ  前端
１１Ｂ  後端
１２    主吸込口
１３    副吸込口
１４    シャッター
１７    回転ブラシ
２０    取込穴
２１    フラップ部材
【図１】
2011172739.tif 000003
【図２】
2011172739.tif 000004
【図３】
2011172739.tif 000005
【図４】
2011172739.tif 000006
【図５】
2011172739.tif 000007
【図６】
2011172739.tif 000008
【図７】
2011172739.tif 000009